(57)【特許請求の範囲】
【請求項１】
人の頭部の髪の生え際に適合する穴を有するつばと、
前記つばの全周にわたり前記つばに取り付けられ、前記つばから垂れ下がり、前記人の頭部の髪の生え際よりも下の部分を前記人の頭部の全周にわたり囲むシートと、
を備え、
前記シートは、前記人の頭部の半周を囲む第１セクションと、前記第１セクションに連なり前記人の頭部の残りの半周を囲む第２セクションとを含み、
前記第１セクションは、第１の数量の細孔を含み、
前記第２セクションは、細孔を含まない、または、前記第１の数量よりも少ない第２の数量の細孔を含む、
シャンプーハット。
【請求項２】
前記シートは、前記つばの全周にわたり前記人の首に到達する長さを有する、
請求項１に記載のシャンプーハット。
【請求項３】
シャンプークロスを人の首に装着すること、
前記シャンプークロスにより前記人の上体を前記人の上体の全周にわたり覆うこと、
前記人の頭部の髪の生え際に適合する穴を有するつばと、前記つばの全周にわたり前記つばに取り付けられ、前記つばから垂れ下がるシートと、を備え、前記シートは、前記人の頭部の半周を囲む第１セクションと、前記第１セクションに連なり前記人の頭部の残りの半周を囲む第２セクションとを含み、前記第１セクションは、第１の数量の細孔を含み、前記第２セクションは、細孔を含まない、または、前記第１の数量よりも少ない第２の数量の細孔を含む、シャンプーハットを前記人の頭部に装着すること、
前記つばから前記人の頭部の髪を露出させること、
前記シートにより前記人の頭部の髪の生え際よりも下の部分を前記人の頭部の全周にわたり囲むこと、
前記シャンプークロスおよび前記シャンプーハットを装着した前記人の上体を起こしたまま、前記人の頭部の髪に水を流すこと、
を含む洗髪方法。
【請求項４】
前記シートは、前記つばの全周にわたり前記シャンプークロスにオーバーラップする、
請求項３に記載の洗髪方法。
【発明の詳細な説明】
【技術分野】
【０００１】
本発明は、シャンプーハットおよびそのシャンプーハットを利用した洗髪方法に関する。
【背景技術】
【０００２】
訪問理美容とは、美容師または理容師（以下、代表して美容師という）が顧客の居所に赴き、顧客の居所にてカット、カラーおよびパーマを含む理美容サービスを提供することをいう。理美容サービスは、カット、カラーおよびパーマにそれぞれ付随する洗髪を含む。
【０００３】
顧客の居所は、例えば、自宅、福祉施設、病院である。このような施設の多くは、顧客に衣服を着せたままで顧客の髪を洗うための専用の設備を備えていない。通常、美容師は、シャンプーボウルおよび椅子などの大がかりな道具を顧客の居所に搬入して一時的に設置する。美容師は、理美容サービスを提供したのち、今度はそれらの道具を撤去して顧客の居所から搬出する。道具の搬入、設置、撤去および搬出にかかる作業は、美容師に負担を強いる。
【０００４】
一方、シャンプーボウルは、仰向け姿勢または俯せ姿勢をとることが困難な顧客には適さない。訪問理美容の顧客には、例えば、円背（脊椎の後方への彎曲が増強した変形）などの骨格的特徴、または、妊婦など身体的特徴により、仰向け姿勢または俯せ姿勢をとることが困難な人もいる。さらに、仰向け姿勢でのシャンプーは「美容室脳卒中症候群」の危険性を伴う場合があるので、意思疎通の難しい顧客には適しにくい。また、シャンプーボウルは、車いすに座った顧客およびリクライニング車いすに座りリクライニングした顧客には適しにくい。例えば、車いすに座った顧客が俯せ姿勢になったり、リクライニング車いすに座った顧客が仰向け姿勢になったりしても、顧客の頭部がシャンプーボウルに届かないことがある。
【先行技術文献】
【特許文献】
【０００５】
【特許文献１】特開平１０−８５０４２号公報
【発明の概要】
【発明が解決しようとする課題】
【０００６】
顧客の居所は、シャワー室、浴室、その他の水を流すことが可能な設備（以下、代表してシャワー室という）を備えることがある。顧客に衣服を着せたままシャワー室内で顧客の髪を洗うことができれば美容師および顧客の両方にとって都合がよい。
【０００７】
例えば、美容師は、衣服を着た顧客にシャンプークロス（ケープともいう）を装着してから、シャワー室内で顧客の髪を洗い流してもよい。シャンプークロスは、顧客の上体に向けて降りかかる水から顧客の衣服を防御する。顧客は、シャワー室内で椅子に腰かけてもよい。美容師は、顧客の上体を起こしたまま、すなわち仰向け姿勢も俯せ姿勢も強いずに、顧客の髪を洗い流すことができる。
【０００８】
しかしながら、シャンプークロスは、顧客の衣服の水濡れからの防御に不十分である。シャンプークロスは、顧客の首に適合するものの、顧客の首との間に多少の隙間を形成する。顧客の上体を起こしたままの洗髪においては、多くの水は顧客の頭部から首を伝って流れ落ちる。顧客の首を伝う水は、シャンプークロスと顧客の首との間の隙間を通り、顧客の衣服、特に首回りの部分を濡らす。
【０００９】
したがって、顧客の上体を起こしたままの洗髪は、さらなる改善点を有する。
【課題を解決するための手段】
【００１０】
シャンプーハットは、例えば、人の頭部の髪の生え際に適合する穴を有するつばと、前記つばの全周にわたり前記つばに取り付けられ、前記つばから垂れ下がり、前記人の頭部の髪の生え際よりも下の部分を前記人の頭部の全周にわたり囲むシートと、を備える。
【００１１】
洗髪方法は、例えば、（１）シャンプークロスを人の首に装着すること、（２）前記シャンプークロスにより前記人の上体を前記人の上体の全周にわたり覆うこと、（３）前記人の頭部の髪の生え際に適合する穴を有するつばと、前記つばの全周にわたり前記つばに取り付けられ、前記つばから垂れ下がるシートと、を備えるシャンプーハットを前記人の頭部に装着すること、（４）前記つばから前記人の頭部の髪を露出させること、（５）前記シートにより前記人の頭部の髪の生え際よりも下の部分を前記人の頭部の全周にわたり囲むこと、（６）前記シャンプークロスおよび前記シャンプーハットを装着した前記人の上体を起こしたまま、前記人の頭部の髪に水を流すこと、を含む。
【発明の効果】
【００１２】
上記のシャンプーハットおよびそのシャンプーハットを利用した洗髪方法は、顧客の上体を起こしたままの洗髪を改善する。
【図面の簡単な説明】
【００１３】
【図１】図１は、サイズ調整後のシャンプーハットを示す斜視図である。
【図２】図２は、サイズ調整前のシャンプーハットを示す斜視図である。
【図３】図３は、シャンプーハットの利用例を示す図である。
【発明を実施するための形態】
【００１４】
図１および図２に示すように、シャンプーハット１は、つば３を備える。つば３は、人の頭部の髪の生え際に適合する穴７を有する。適合するとは、大きさおよび形がぴったり合うことである。つば３は、伸縮性を有する素材から形成されてもよい。伸縮性を有する素材は、例えば、ゴム、または、ある種の樹脂である。穴７は、つば３の伸縮により、人の頭部の髪の生え際に適合してもよい。
【００１５】
つば３の周方向の一か所で分離可能な環状でもよい。例えば、つば３は、第１端１１および第２端１３を有してもよい。第１端１１は、第２端１３に重ねられる。
【００１６】
つば３は、さらに、穴７の大きさを調整可能なアジャスター９を有してもよい。アジャスター９は、例えば、第１端１１の下面に配されたボタンおよび第２端１３の上面に配されたボタンから構成される。アジャスター９は、第１端１１の第２端１３への重なりの量を調整する。穴７は、アジャスター９による調整により、人の頭部の髪の生え際に適合してもよい。
【００１７】
つば３は、例えば、１ｍｍから１０ｍｍまでの範囲内の厚みを有する。つば３は、例えば、１ｃｍから２０ｃｍまでの範囲の幅を有する。幅は、つば３の径方向の長さを表す。
【００１８】
つば３は、円形、三角形、四角形その他の多角形のいずれでもよい。穴７は、つば３の中央に位置してもよい。これに代えて、穴７は、つば３の中央からずれて位置してもよい。
【００１９】
シャンプーハット１は、さらに、つば３から垂れ下がるシート５を備える。シート５は、つば３の全周にわたり、つば３に取り付けられている。すなわち、シート５は、つば３の周方向のいずれの位置においても存在する。ただし、シート５は、垂直方向に少なくとも１つのスリットを有してもよい。
【００２０】
シート５は、人の頭部の髪の生え際よりも下の部分を人の頭部の全周にわたり囲む。人の頭部の髪の生え際よりも下の部分は、例えば、顔である。
【００２１】
シート５は、例えば、接着のような化学的手段、溶着のような物理的手段、または、ステープルまたは縫製のように機械的手段により、つば３に取り付けられる。シート５は、つば３の上面に取り付けられてもよい。つば３の上面に取り付けられたシート５は、つば３の径方向の最外周４から垂れ下がる。シート５は、つば３の下面に取り付けられてもよい。つば３の下面に取り付けられたシート５は、つば３に取り付けられた位置から垂れ下がる。
【００２２】
シート５は、つば３の全周にわたり人の首に到達する長さを有してもよい。すなわち、シート５は、つば３の周方向のいずれの位置においても、人の首に到達する長さを有していてもよい。シート５は、さらに、つば３の全周にわたり人の肩に到達する長さを有してもよい。シート５は、さらに、つば３の全周にわたり人の胸部および肩甲骨まで到達する長さを有してもよい。シート５は、さらに、つば３の全周にわたり人の腰まで到達する長さを有してもよい。シート５は、例えば、５ｃｍから１００ｃｍまでの範囲の長さを有してもよい。
【００２３】
シート５は、防水性を有する素材から形成されてもよい。防水性を有する素材は、例えば、樹脂を含む。シート５は、つば３よりも薄くてもよい。シート５は、例えば、０．１ｍｍから１ｍｍまでの範囲の厚みを有する。
【００２４】
シート５は、透明な素材から形成されてもよい。透明な素材は、例えば、ナイロン、ポリエチレンおよびポリプロピレンを含む。つば３は、人の頭部に適合しているものの、人の頭部との間に多少の隙間を形成することがある。水は、この隙間に侵入して顔または首に向けて流れることがある。透明なシート５は、美容師がそのような水の侵入を早期に発見することに役に立つ。透明なシート５は、さらに、美容師が顧客の体調の急変による顔色や表情の変化を発見することに役に立つ。シート５は、顧客の頭部、特に顔の周りを囲む。顧客はシート５に囲まれることにより閉塞感を感じることがある。透明なシート５は、そのような閉塞感を和らげることができる。
【００２５】
シート５は、人の頭部の半周を囲む第１セクション１５と、第１セクション１５に連なり人の頭部の残りの半周を囲む第２セクション１７とを含む。第１セクション１５は、第１の数量の細孔１９を含んでもよい。第２セクション１７は、細孔を含まなくてもよく、あるいは、第２セクション１７は、第１の数量よりも少ない第２の数量の細孔を含んでもよい。細孔１９は、例えば、空気を取り込むまたは空気を排出するために、シート５の人の顔に面する領域に密に形成されている。シート５は、顧客の頭部、特に顔の周りを囲む。顧客はシート５に囲まれることにより息苦しさを感じることがある。細孔１９を有するシート５は、そのような息苦しさを和らげることができる。細孔１９は、例えば、メッシュにより形成されていてもよい。第１の数量は、少なくとも１つである。
【００２６】
シート５は、シート５の周方向の一か所で分離可能な筒状でもよい。例えば、シート５は、第３端２１および第４端２３を有してもよい。サイズ調整後には、第３端２１は、第４端２３に重ねられてもよい。第３端２１は、第４端２３に重ねられることにより、水の侵入を防止する。
【００２７】
シャンプーハット１は、アジャスター９を備えなくてもよい。つば３は、周方向に連続的な環状でもよい。シート５は、連続的な筒状でもよい。
【００２８】
図３に示すように、シャンプーハット１は、顧客の上体を起こしたままの洗髪に利用できる。以下の手順の順序は、適宜、変更可能である。
【００２９】
顧客とは、サービスの提供を受ける者をいう。例えば、訪問理美容サービスを受ける者、病院で医療サービスの提供を受ける者、福祉施設で介護サービスの提供を受ける者は、いずれも顧客に該当する。以下、訪問理美容サービスに付随する洗髪を例に説明する。
【００３０】
上体が起きているとは、上体が垂直な姿勢、および、上体が斜めの姿勢を含む。上体が垂直な姿勢は、例えば、顧客が椅子または車いすに座ることにより実現される。上体が斜めの姿勢は、例えば、顧客がリクライニングしたリクライニング車いすに座ることにより実現される。
【００３１】
美容師は、衣服を着たままの顧客をシャワー室内の椅子に座らせる。
【００３２】
美容師は、シャンプークロス２５を顧客の首に装着する。
【００３３】
美容師は、シャンプークロス２５により顧客の上体をその顧客の上体の全周にわたり覆う。
【００３４】
美容師は、シャンプーハット１を顧客の頭部に装着する。シャンプーハット１は、上述の通り、つば３と、つば３から垂れ下がるシート５と、を備える。つば３は、顧客の頭部の髪の生え際に適合する穴７を有する。シート５は、つば３の全周にわたりつば３に取り付けられている。シート５は、あらかじめつば３に取り付けられていてもよい。例えば、美容師は、あらかじめシート５が取り付けられたつば３を顧客の頭部の髪の生え際に装着してもよい。これに代えて、シート５は、つば３に脱着可能であってもよい。例えば、美容師は、シート５を取り外したつば３を顧客の頭部の髪の生え際に装着し、装着されたつば３にシート５を取り付けてもよい。美容師は、顧客の居所にてシャンプーハット１を製作してもよい。シート５は、使い捨てでもよい。
【００３５】
美容師は、顧客の頭部の髪をつば３から露出させる。
【００３６】
美容師は、シート５により、顧客の頭部の髪の生え際よりも下の部分を顧客の頭部の全周にわたり囲む。
【００３７】
美容師は、シャンプークロス２５およびシャンプーハット１を装着した顧客の上体を起こしたまま、顧客の頭部の髪に水を流す。水は、例えば、３０℃から５０℃までの範囲のいずれかの温度を有してもよい。水は、シャンプー、コンディショナー、カラー染料、パーマ液などの顧客の髪についた液剤を洗い流す。
【００３８】
顧客の頭部に流された水は、つば３の上面、シート５の外周面およびシャンプークロス２５の外面を含む経路を伝って流れ落ちる。この経路は、顧客の首を含まない。つまり、シャンプーハット１は、水が顧客の首を伝って流れることを防止し、これにより、シャンプークロス２５と顧客の首との間に形成された隙間への水の侵入を防止する。顧客のなかには、首に人工呼吸器を装着するための気管切開部を有する人がいる。このような人は、気管切開部で呼吸をしていることが多い。したがって、気管切開部は、シャンプークロス２５により塞がれないことが好ましい。つまり、シャンプークロス２５は、顧客の首の気管切開部よりも下に装着されることが好ましい。シャンプーハット１は、水が、シャンプークロス２５から露出した首の気管切開部に降りかかることを防止する。
【００３９】
顧客がシャンプーハット１を装着しない場合、顧客の頭部に流された水は、顧客の首およびシャンプークロス２５の外面を含む経路を伝って流れ落ちる。首を伝う水は、シャンプークロス２５と顧客の首との間の隙間に侵入して、顧客の衣服を濡らす。
【００４０】
顧客がつばのみのシャンプーハット（すなわち、シートを有さない）を装着する場合、水はつばの上面を流れ、つばの最外周から流れ落ちる。つばから流れ落ちた水は、シャンプークロス２５に降り注ぎ、シャンプークロス２５の表面を伝って流れ落ちる。この経路は、顧客の首を含まない。しかしながら、顧客が適切な首の角度を維持し続ける必要がある。顧客が適切な首の角度を維持しなければ、つば３の最外周から流れ落ちた水が顧客の首に降りかかる。顧客のなかには、不意に頭部を動かしてしまう人もいる。首を伝う水は、シャンプークロス２５と顧客の首との間の隙間に侵入して、顧客の衣服を濡らす。したがって、つばのみのシャンプーハットは、顧客の衣服の水濡れからの防御に不十分である。
【００４１】
特許文献１（特開平１０−８５０４２号公報）は、つばと、つばの半周だけに取り付けられたシートと、を備えたシャンプーハットを開示している。つまり、つばは、シートが取り付けられていない半周を有する。顧客がこのシャンプーハットを装着した場合、シートが取り付けられていない半周は、上記のつばのみのシャンプーハットと同じ問題を引き起こす。
【００４２】
これらに対して、顧客がシャンプーハット１を装着した場合、顧客の頭部に流された水は、つば３の上面、シート５の外周面およびシャンプークロス２５の外面を含む経路を伝って流れ落ちる。より具体的には、シート５の外周面を伝う水は、シート５の下端６から流れ落ちる。シート５の下端６から流れ落ちた水は、シャンプークロス２５に降り注ぎ、シャンプークロス２５の外面を伝って流れ落ちる。シート５の下端６は、つば３の最外周４よりも低い位置にある。したがって、シャンプーハット１は、上記のつばのみのシャンプーハットに比べて、水が顧客の首に降りかかる可能性を低減する。顧客は、洗髪中に適切な首の位置を維持する負担を強いられない。
【００４３】
さらに、シート５は、つば３の全周にわたりシャンプークロス２５にオーバーラップしてもよい。つまり、シート５の下端６が、つば３の周方向のいずれの位置においても、シャンプークロス２５の上端２６よりも低いところに位置してもよい。オーバーラップは、シート５がつば３に接触および非接触の状態で重なることを意味する。このようなシート５は、シート５の下端６から流れ落ちた水が顧客の首に降りかかることを防止する。
【００４４】
シャンプーハット１は、災害現場でも水を洗い流す施設さえあれば、衣服を着たままの手軽な洗髪を提供することができる。
【００４５】
シャワー室内での顧客の上体を起こしたままの洗髪は、美容師にとっても都合がよい。例えば、美容師は、椅子に腰かけた顧客の洗髪を立ったまま（屈まずに）行うことができる。美容師は、屈まない洗髪によって、美容師の職業病として知られる腰痛の発生を予防できる。
【産業上の利用可能性】
【００４６】
シャンプーハットおよびそのシャンプーハットを利用した洗髪方法は、訪問理美容、福祉施設、病院での各種サービスに付随する洗髪に利用可能である。
【符号の説明】
【００４７】
１    シャンプーハット
３    つば
４    つばの最外周
５    シート
６    シートの下端
７    穴
９    アジャスター
１１  つばの第１端
１３  つばの第２端
１５  第１セクション
１７  第２セクション
１９  細孔
２１  シートの第３端
２３  シートの第４端
２５  シャンプークロス
２６  シャンプークロスの上端
【要約】
【課題】  顧客の上体を起こしたままの洗髪は、さらなる改善点を有する。
【解決手段】
シャンプーハット１は、人の頭部の髪の生え際に適合する穴を有するつば３と、つば３の全周にわたりつば３に取り付けられ、つば３から垂れ下がり、人の頭部の髪の生え際よりも下の部分を人の頭部の全周にわたり囲むシート５と、を備える。
【選択図】図１【図１】
0006749680.tif 000002
【図２】
0006749680.tif 000003
【図３】
0006749680.tif 000004